(57)【特許請求の範囲】
【請求項１】
多数枚の足場用パネルをその前後方向（軸方向）及び左右方向（横幅方向）に並べ、それら足場用パネルをその軸方向及び横幅方向に連結して支持部の下に吊り足場を組立てる方法（足場組立て方法）において、
前記足場組立て方法は、足場用パネルの横幅寸法数枚分の長さの足場連結材を用いて多数枚の足場用パネルを組み立てる方法であり、
前記足場連結材は、長尺本体と、その長軸方向に沿って取り付けられたパイプと、吊り具を係止可能な二以上の係止具を備え、当該二以上の係止具は足場連結材の長軸方向両端側に設けられ、
前記係止具に係止される吊り具により足場連結材の長軸方向両端部を前記支持具に吊下げる工程と、
前記足場連結材の吊下げを繰り返して、二本以上の足場連結材を横に間隔をあけて平行（略平行を含む）に吊下げる工程と、
前記平行に吊下げられて隣り合う足場連結材の間であって、それら足場連結材を吊下げた前記両吊り具よりも足場連結材の長軸方向内側に、二枚以上の足場用パネルを配置する工程と、
前記のように配置された足場用パネルの両端部を前記足場連結材のパイプに連結する工程と、
前記配置された二枚以上の足場用パネルをその横幅方向に連結する工程、
を備えたことを特徴とする吊り足場組立て方法。
【請求項２】
多数枚の足場用パネルをその前後方向（軸方向）及び左右方向（横幅方向）に並べ、それら足場用パネルをその軸方向及び横幅方向に連結して支持部の下に吊り足場を組立てる方法において、
足場用パネルの横幅寸法数枚分の長さの足場連結材を支持部に吊下げる工程と、
前記足場連結材の細幅方向両側方に二枚以上の足場用パネルを配置して当該足場連結材の長軸方向に並べて配置する工程と、
前記二枚以上の足場用パネルの夫々の軸方向一端部を前記足場連結材に連結し、他端部を前記支持部又は他の支持部に吊下げる工程と、
前記足場連結材の長軸方向に並べて配置された二枚以上の足場用パネルをその横幅方向に連結する工程、
を備えたことを特徴とする吊り足場組立て方法。
【請求項３】
請求項１又は請求項２記載の吊り足場組立て方法において、
二本以上の足場連結材を当該足場連結材の長軸方向に並べて支持部に吊下げる工程と、
前記吊下げられた二本以上の足場連結材の長軸方向端部同士を連結する工程と、
連結された足場連結材の細幅方向側方に二枚以上の足場用パネルを配置して当該足場連結材の長軸方向に並べて配置する工程、
を備えたことを特徴とする吊り足場組立て方法。
【請求項４】
多数枚の足場用パネルが支持部に吊下げられて足場用パネルの前後方向（軸方向）及び左右方向（横幅方向）に並べられ、それら足場用パネルがその軸方向及び幅方向に連結された吊り足場構造において、
前記吊り足場構造は、足場用パネルの横幅寸法数枚分の長さの足場連結材を用いて多数枚の足場用パネルを組み立てた構造であり、
前記足場連結材は長尺本体と、その長軸方向に沿って取付けられたパイプと、吊り具を係止可能な二以上の係止具を備え、当該二以上の係止具は足場連結材の長軸方向両端側に設けられ、
二本以上の前記足場連結材が、前記係止具に係止される吊り具により支持部に吊下げられて横に間隔をあけて平行（略平行を含む）に配置され、
前記平行に吊下げられて隣り合う足場連結材の間であって、それら足場連結材を、吊下げた前記両吊り具よりも足場連結材の長軸方向内側に、二枚以上の足場用パネルが配置され、
前記配置された足場用パネルの両端部が前記並行する足場連結材のパイプに連結され、
前記二枚以上の足場用パネルは横幅方向が互いに連結され、
前記係止具は前記二枚以上の足場用パネルのうち、その配列方向両端の足場用パネルよりも外側に突出している、
ことを特徴とする吊り足場構造。
【請求項５】
多数枚の足場用パネルが支持部に吊下げられて足場用パネルの前後方向（軸方向）及び左右方向（横幅方向）に並べられ、それら足場用パネルがその軸方向及び幅方向に連結された吊り足場構造において、
足場用パネルの横幅寸法数枚分の長さである足場連結材の少なくとも長軸方向両端側が吊り具により支持部に吊下げられ、
吊下げられた足場連結材の細幅方向両側方に二枚以上の足場用パネルが足場連結材の長軸方向に並べて配置され、
当該二枚以上の足場用パネルの軸方向一端が前記足場連結材に連結され、軸方向他端部が吊り具により前記支持部又は他の支持部に吊下げられ、
足場連結材の長軸方向に並べて配置された二枚以上の足場用パネルがその横幅方向に連結された、
ことを特徴とする吊り足場構造。
【請求項６】
請求項４又は請求項５記載の吊り足場構造において、
二本以上の足場連結材がその長軸方向に連結され、
前記連結された足場連結材の細幅方向側方に二枚以上の足場用パネルが足場連結材の長軸方向に並べて配置され、
長軸方向に並べて配置された足場用パネルがその横幅方向に連結された、
ことを特徴とする吊り足場構造。
【請求項７】
足場用パネルの横幅寸法数枚分の長さの長尺本体と、前記長尺本体にその長軸方向に沿って取付けられた長尺パイプと、吊り具を係止可能な係止具を備え、
前記長尺パイプは、その幅方向側方に配置された足場用パネルの連結パイプと連結具で連結できるものであり、
前記係止具は少なくとも長尺本体の長軸方向両端側に設けられた、
ことを特徴とする足場連結材。
【請求項８】
請求項７記載の足場連結材において、
長尺パイプは長尺基材の上面に配置され、
長尺基材の上面との間に連結具を差込み可能な差込空間を設けて前記長尺本体に取付けられ、
前記係止具は少なくとも長尺本体の長軸方向両端側に設けられた、
ことを特徴とする足場連結材。
【請求項９】
請求項７又は請求項８記載の足場連結材において、
係止具が、足場連結材の長軸方向に配置連結される複数枚の足場用パネルの最外側の足場用パネルよりも外側に突出するように長尺本体に設けられた、
ことを特徴とする足場連結材。
【請求項１０】
請求項７乃至請求項９のいずれか１項記載の足場連結材において、
長尺基材の細幅方向両側上面に、足場用パネルの長軸方向端部を載せることのできる受部を備えた、
ことを特徴とする足場連結材。
【請求項１１】
請求項７乃至請求項１０のいずれか１項記載の足場連結材において、
長尺基材の長軸方向端部に他の長尺基材の長軸方向端部と連結可能な基材連結部、
を備えたことを特徴とする足場連結材。
【発明の詳細な説明】
【技術分野】
【０００１】
本願発明は、建築、土木工事、道路橋梁工事、プラント工事、タンク工事、鉄塔工事といった各種新設工事、保守、点検工事といった各種工事現場で使用される吊り足場組立て方法と、吊り足場構造と、吊り足場の組立てに用いられる足場連結材に関するものである。
【背景技術】
【０００２】
前記した各種工事現場では、図１３に示すように、多数枚の足場用パネルＡを前後左右に連結して吊り足場が組立てられている。足場用パネルの一例として特許文献１に開示されたものがある。この足場用パネルＡは図１０に示すように、２本の角材Ｂの長手方向（軸方向）両端側に丸パイプ（フレームパイプ）Ｃが設けられ、両フレームパイプＣの間と両角材Ｂの間に補強材Ｄを設けた長方形の周枠の上面に、長方形の板材（例えば、金属平板、コンパネ材、エキスパンドメタル材、又はその他の板材）Ｅが配置固定されたものである。これら足場用パネルＡを連結して吊り足場を組立てる場合、図１３に示すように、橋桁や構造物の梁等の支持部Ｈをチェーン（吊り具）Ｇの上端に連結してあるクランプ１３で保持して、その吊り具Ｇで足場用パネルＡを吊るして水平に保持し、横幅方向に並べた多数枚の足場用パネルＡの隣接する角材Ｂ及び丸パイプＣに上下に二つ割りの横連結具Ｋ（図１０）を差し込み、横連結具Ｋに止めピン３４、３７を差し込み、ボルト３３をねじ込んで、横連結具Ｋを上下に拡げ、横連結具Ｋの外周面を丸パイプＣの内周面に接触させて隣接する足場用パネルＡ同士を連結し、軸方向に並べた足場用パネルＡのフレームパイプＣ同士を汎用のクランプＦで連結している。クランプＦには例えば図７に示すような二つの単クランプを背中合わせにして回転自在に連結したクランプ（通称自在クランプ）や、二つの単クランプを背中合わせにして両クランプが回転しないように連結したクランプ（出願人は平行クランプという。）などが使用されていた。
【先行技術文献】
【特許文献】
【０００３】
【特許文献１】特許第２６４７８０２号公報
【発明の概要】
【発明が解決しようとする課題】
【０００４】
前記した従来の足場組立て方法では、吊り足場の上の吊り具Ｇの間隔が狭い（例えば、６６０ｍｍ程度）ため、吊り足場の上で作業員が長尺資材を横向きにして持ち運ぶと、長尺資材が吊り具Ｇに当たることがあり作業し難いという難点があった。また、吊り具Ｇを係止した桁Ｈ(図１３)に塗装をする場合、吊り具Ｇの係止部分が塗り残しになり、いわゆるダメ工事の一因となることがあった。
【０００５】
本願発明の解決課題は、少ない本数の吊り具で足場用パネルを吊下げて、吊り足場の上の吊り具の本数を少なくして、足場上での長尺資材の持ち運びやその他の作業を容易にし、桁等への塗料の塗り残しを低減できる吊り足場組立て方法と、吊り足場構造と、足場連結材を提供することにある。
【課題を解決するための手段】
【０００６】
本願発明の吊り足場組立て方法は、多数枚の足場用パネルをその前後方向（軸方向）及び左右方向（横幅方向）に並べ、それら足場用パネルをその軸方向及び横幅方向に連結して支持部の下に吊り足場を組立てる方法（足場組立て方法）において、前記足場組立て方法は、足場用パネルの横幅寸法数枚分の長さの足場連結材を用いて多数枚の足場用パネルを組み立てる方法であり、前記足場連結材は、長尺本体と、その長軸方向に沿って取り付けられたパイプと、吊り具を係止可能な二以上の係止具を備え、当該二以上の係止具は足場連結材の長軸方向両端側に設けられ、前記係止具に係止される吊り具により足場連結材の長軸方向両端部を前記支持具に吊下げる工程と、前記足場連結材の吊下げを繰り返して、二本以上の足場連結材を横に間隔をあけて平行（略平行を含む）に吊下げる工程と、前記平行に吊下げられて隣り合う足場連結材の間であって、それら足場連結材を吊下げた前記両吊り具よりも足場連結材の長軸方向内側に、二枚以上の足場用パネルを配置する工程と、前記のように配置された足場用パネルの両端部を前記足場連結材のパイプに連結する工程と、前記配置された二枚以上の足場用パネルをその横幅方向に連結する工程を備えた方法である。
【０００７】
本願発明の吊り足場組立て方法は、足場用パネルの横幅寸法数枚分の長さの足場連結材を支持部に吊下げる工程と、前記足場連結材の細幅方向両側方に二枚以上の足場用パネルを配置して当該足場連結材の長軸方向に並べて配置する工程と、前記二枚以上の足場用パネルの夫々の軸方向一端部を前記足場連結材に連結し、他端部を前記支持部又は他の支持部に吊下げる工程と、前記足場連結材の長軸方向に並べて配置された二枚以上の足場用パネルをその横幅方向に連結する工程を備えた方法である。
【０００８】
本願発明の吊り足場組立て方法は、前記吊り足場組立て方法の夫々において、二本以上の足場連結材を当該足場連結材の長軸方向に並べて支持部に吊下げる工程と、前記吊下げられた二本以上の足場連結材の長軸方向端部同士を連結する工程と、連結された足場連結材の細幅方向側方に二枚以上の足場用パネルを配置して当該足場連結材の長軸方向に並べて配置する工程を備えた方法とすることもできる。
【０００９】
本願発明の吊り足場構造は、多数枚の足場用パネルが支持部に吊下げられて足場用パネルの軸方向及び横幅方向に並べられ、それら足場用パネルがその軸方向及び幅方向に連結された吊り足場構造において、前記吊り足場構造は、足場用パネルの横幅寸法数枚分の長さの足場連結材を用いて多数枚の足場用パネルを組み立てた構造であり、前記足場連結材は長尺本体と、その長軸方向に沿って取付けられたパイプと、吊り具を係止可能な二以上の係止具を備え、当該二以上の係止具は足場連結材の長軸方向両端側に設けられ、二本以上の前記足場連結材が、前記係止具に係止される吊り具により支持部に吊下げられて横に間隔をあけて平行（略平行を含む）に配置され、前記平行に吊下げられて隣り合う足場連結材の間であって、それら足場連結材を、吊下げた前記両吊り具よりも足場連結材の長軸方向内側に、二枚以上の足場用パネルが配置され、前記配置された足場用パネルの両端部が前記並行する足場連結材のパイプに連結され、前記二枚以上の足場用パネルは横幅方向が互いに連結され、前記係止具は前記二枚以上の足場用パネルのうち、その配列方向両端の足場用パネルよりも外側に突出したものである。
【００１０】
本願発明の吊り足場構造は、足場用パネルの横幅寸法数枚分の長さである足場連結材の少なくとも長軸方向両端側が吊り具により支持部に吊下げられ、吊下げられた足場連結材の細幅方向両側方に二枚以上の足場用パネルが足場連結材の長軸方向に並べて配置され、当該二枚以上の足場用パネルの軸方向一端が前記足場連結材に連結され、軸方向他端部が吊り具により前記支持部又は他の支持部に吊下げられ、足場連結材の長軸方向に並べて配置された二枚以上の足場用パネルがその横幅方向に連結されたものである。
【００１１】
本願発明の吊り足場構造は、前記吊り足場構造において、二本以上の足場連結材がその長軸方向に連結され、前記連結された足場連結材の細幅方向側方に二枚以上の足場用パネルが足場連結材の長軸方向に並べて配置され、長軸方向に並べて配置された足場用パネルがその横幅方向に連結されたものである。
【００１２】
本願発明の足場連結材は、足場用パネルの横幅寸法数枚分の長さの長尺本体と、前記長尺本体にその長軸方向に沿って取付けられた長尺パイプと、吊り具を係止可能な係止具を備え、前記長尺パイプは、その幅方向側方に配置された足場用パネルの連結パイプと連結具（例えば、クランプ）で連結できるものであり、前記係止具は少なくとも長尺本体の長軸方向両端側に設けられたものである。
【００１３】
本願発明の足場連結材は、前記足場連結材において、長尺パイプは長尺基材の上面に配置され、長尺基材の上面との間に連結具を差込み可能な差込空間を設けて前記長尺本体に取付けられ、前記係止具は少なくとも長尺本体の長軸方向両端側に設けられたものである。
【００１４】
本願発明の足場連結材は、前記足場連結材において、係止具が、足場連結材の長軸方向に配置連結される複数枚の足場用パネルの最外側の足場用パネルよりも外側に突出するように長尺本体に設けられたものである。
【００１５】
本願発明の足場連結材は、前記足場連結材において、長尺基材の細幅方向両側上面に、足場用パネルの軸方向端部を載せることのできる受部を備えたものである。
【００１６】
本願発明の足場連結材は、前記足場連結材において、長尺基材の長軸方向端部に他の長尺基材の長軸方向端部と連結可能な基材連結部を備えたものである。
【発明の効果】
【００１７】
本願発明の吊り足場組立て方法は、足場用パネルの横幅寸法数枚分の長さである足場連結材を使用して、二枚以上の足場用パネルを吊下げて連結するので次のような効果がある。
（１）長い足場連結材の長軸方向両端側を吊り具で吊下げて、それに足場パネルを係止するので、従前のように、足場用パネルを一枚ずつ吊り具で吊るす必要がなく、吊り足場の上に多数本の吊り具が存在せず、吊り足場の上に広い空間を確保できるので、吊り足場の上での長尺資材の持ち運びや各種作業が容易になる。
（２）橋桁などの支持部に係止する吊り具の本数が少ないので、支持部への吊り具の吊下げ作業が容易になる。また、作業コストが低減する。
（３）支持部に多数本の吊り具が係止されると、支持部を塗装する場合に、吊り具が係止されている部分への塗装がし難いとか、その部分に塗装ができないといったことがある（塗り残しが生ずる）が、本願発明では支持部に係止する吊り具の数が少ないので、塗りにくいとか、塗り残しが出るといったことが低減する。
【００１８】
本願発明の吊り足場構造は、多数枚の足場用パネルが、足場用パネルの横幅寸法数枚分の長さの足場連結材を吊下げ、それに足場用パネルを連結して架設するので、吊り足場の上の作業スペースに吊り具（例えばチェーン）が存在せず、上方空間での作業がし易い吊り足場になる。
【００１９】
本願発明の足場連結材は、複数枚の足場用パネルをその横幅方向に並べて連結できる長さであり、足場用パネルの連結パイプと連結できる長尺パイプがあるため次のような効果がある。
（１）長軸方向両端側を吊り具で吊下げた足場連結材に足場用パネルを連結できるので、個々の足場用パネルを吊り具で吊下げる必要がなく、少ない本数の吊り具で吊り足場を組立てることができ、組立て作業が容易になる。また、作業コストが低減する。
（２）足場用パネルを、既存のクランプを使用して長尺パイプに連結できるので、連結作業が容易になる。
（３）長尺パイプが、長尺基材の上に差込空間を設けて取付けられているので、長尺パイプにクランプを係止し易くなり、長尺パイプへの足場用パネルの取付けが容易になる。
（４）足場連結材の係止具が、足場連結材の長軸方向に並べて配列した多数枚の足場パネルのうち、最外側の足場用パネルの外側に突出する位置に設けられているので、その係止具を吊り具で吊下げれば、吊り足場の上の作業スペースに吊り具が存在せず、広い作業スペースを確保でき、作業スペースの上での長尺資材の持ち運びが容易になる。
（５）長尺基材の細幅方向両側上面に、足場用パネルの軸方向端部を載せることのできる受部があるため、その受部に足場用パネルを載せて足場用パネルを安定させることができ、足場用パネルの軸方向端部を足場連結材に連結し易い。
（６）足場連結材の長軸方向端部に、他の足場連結材の長軸方向端部と連結可能な連結部が設けられているので、長軸方向への足場連結材の連結が容易になる。この連結部を利用して足場連結材を連結すれば、連結された足場連結材の長軸方向に多数枚の足場用パネルを並べて配列することができ、作業スペースの広い吊り足場を容易に組立て可能となる。
【図面の簡単な説明】
【００２０】
【図１】本願発明の足場連結材を用いて組立てた吊り足場の一例を示す斜視図。
【図２】本願発明の足場連結材の一例を示す斜視図。
【図３】本願発明の足場連結材の長軸方向への連結構造の一例を示す斜視図。
【図４】図１に示す吊り足場の説明図。
【図５】（ａ）は図１に示す吊り足場の足場連結材部分の端面図、（ｂ）は同吊り足場の足場連結材の長軸方向中間部の断面図。
【図６】本願発明の吊り足場組立て方法に使用される三連クランプの一例を示す斜視図。
【図７】本願発明の吊り足場組立て方法に使用される二連クランプ（平行クランプ）の一例を示す説明図。
【図８】本願発明の足場連結材を用いて組立てた吊り足場の他例を示す斜視図。
【図９】図８に示す吊り足場の説明図。
【図１０】本願発明で使用される足場用パネルの横幅方向の連結説明図。
【図１１】（ａ）は図１０における横連結具の一例を示す側面図、（ｂ）は（ａ）の右側面図。
【図１２】（ａ）は図１１（ａ）の横連結具を足場パネルのパイプ内に差し込んだ状態の縦断面図、（ｂ）は（ａ）のｂ−ｂ断面図、（ｃ）は（ａ）のｄ−ｄ断面図。
【図１３】従来の吊り足場の組立て説明図。
【発明を実施するための形態】
【００２１】
（吊り足場組立て方法１）
本願発明の吊り足場組立て方法の実施形態の一例を図面に基づいて説明する。この吊り足場組立て方法は、次のようにして、図１に示す吊り足場を組立てる。
１．図１に示すように、細長の足場連結材１の長軸方向両端側を吊り具２で橋桁、構造体の梁等の支持部Ｈ（図４）に吊下げる。
２．前記１と同様にして、前記足場連結材１の横に間隔をあけて、他の足場連結材１を支持部Ｈ（図４）に吊下げる。
３．前記のように吊下げられた、隣り合う足場連結材１の間に一枚の足場用パネルＡを配置し、その足場用パネルＡの軸方向一端部を一方の足場連結材１に、軸方向他端部を他方の足場連結材１に連結する。その連結には図６に示す三連クランプ５や図７に示す平行クランプＦを用いることができる。三連クランプ５を使用する場合は、図３、図５（ａ）、（ｂ）に示すように中央クランプ５ａで足場連結材１のパイプ材４をクランプし、両サイドの脇クランプ５ｂ、５ｃで足場連結材１の両側に配置された足場用パネルＡのフレームパイプＣをクランプする。図７に示す平行クランプＦを使用する場合はそれを二つ使用し、一方の平行クランプＦで足場連結材１のパイプ材４をクランプし、他方の平行クランプＦで足場連結材１の両側に配置された足場用パネルＡのうち一方の足場用パネルＡのフレームパイプＣをクランプする。
４．前記３の工程と同様にして、隣り合う２本の足場連結材１の間に、それら足場連結材１の長軸方向に沿って所望枚数の足場用パネルＡを配置する。この場合、後から配置する足場用パネルＡを、先に配置した足場用パネルＡの横に並べて配置する。
５．前記足場用パネルＡの軸方向一端部を一方の足場連結材１に、軸方向他端部を他方の足場連結材１に連結する。横に並べて配置した足場用パネルＡは隣接する足場用パネルＡの横幅方向側面同士を図１０のように互いに連結する。
６．前記１〜５の組立てにより、隣り合う２本の足場連結材１の間へ多数枚の足場用パネルＡを配置連結して、吊り足場を組立てる。
【００２２】
前記６の後、前記２と同様にして、図４のように必要本数の足場連結材１を間隔をあけて吊り具２で支持部Ｈに吊下げる。左側の足場連結材１（１ａ）と中間の足場連結材１（１ｂ）の間、中間の足場連結材１（１ｂ）と右側の足場連結材１（１ｃ）の間に、前記２〜４のようにして所望枚数の足場用パネルＡを配置し、それら足場用パネルＡの軸方向一端部を一方の足場連結材１に、軸方向他端部を他方の足場連結材１に連結して、足場連結材１の配置方向に所望長の吊り足場を組立てる。
【００２３】
前記足場用パネルＡには図１０に示すものと同じもの又は他の構造のものを使用することができる。図１０に示すものは２本の角材Ｂの長手方向（軸方向）両端側に丸パイプ（フレームパイプ）Ｃが設けられ、２本の角材Ｂと両フレームパイプＣの間の空間に補強材Ｄを設けて長方形の周枠が形成され、その周枠の上面に長方形の板材（例えば、金属平板、コンパネ材、エキスパンドメタル材、又はその他の板材）Ｅが配置固定されたものである。
【００２４】
足場用パネルＡを横幅方向に連結するには各種方法や機構があるが、一例としては、図１０に示すように一方の足場用パネルＡから突出する横連結具Ｋを他方の足場用パネルＡのフレームパイプＣの孔内に差込み、止めピン３４で受け孔に係止することにより連結することができる。
【００２５】
横連結具Ｋは図１１（ａ）、（ｂ）、図１２（ａ）〜（ｃ）に示すように、大きさ（曲げ径）の異なる断面Ｕ字形の金具３０、３１を向かい合わせて上下に重ねて１本の細長いパイプ状にしてある。この金具３０、３１のうち上側の金具３０の軸線方向中央部の内面にナット３２を溶接してある。このナット３２に金具３０の外側からボルト３３を螺合し、ボルト３３の下端を下側の金具３１の内周面と接触できるようにし、同ボルト３３をナット３２の下方に突き出る方向（時計方向）に回転させると、両金具３０、３１が互いに外周方向に押し広げられて両金具３０、３１の径が大きくなり（広がり）、前記ボルト３３をナット３２から引っ込む方向（半時計方向）に回転させると、両金具３０、３１の径が小さくなる（縮小する）ようにしてある。
【００２６】
前記横連結具Ｋは図１１（ａ）、（ｂ）、図１２（ａ）〜（ｃ）のように、その軸方向一端が連結する一方の足場パネルＡのフレームパイプＣ内に差し込まれて、止めピン３４でフレームパイプＣに取付けられている。止めピン３４はフレームパイプＣの外側から差し込まれて先端部がフレームパイプＣの反対側に突出し、突き出た先端部３４ａにワッシャ３５を被せ、その下に割ピン３６を差し込んで止めピン３４が抜けないようにしてある。
【００２７】
前記横連結具Ｋで両足場パネルＡを連結するには、横連結具Ｋの軸方向他端を連結する他方の足場パネルＡのフレームパイプＣ内に差し込み、その横連結具Ｋのピン貫通孔３７（図１１（ａ））に連結ピン（例えば、汎用のグラビティロック連結ピン）３８（図１２（ａ））を差し込んでフレームパイプＣから抜けないようにする。その状態で、足場用パネルの角材Ｂ（図１０、図１２（ａ）、（ｂ））の上からボルト３３をナット３２に螺合し、ボルト３３を時計方向に回転させてボルト３３の先端を金具３１に突き当て、その状態で更にネジ込むと両金具３０、３１が互いに外周方向に押し広げられて両金具３０、３１の径が大きくなり（広がって）両金具３０、３１の外周面がパイプＣに圧接させる。
【００２８】
（吊り足場組立て方法２）
本願発明の吊り足場組立て方法は、図９のように橋桁等の支持部Ｈに吊り具２で吊下げた１本の足場連結材１の細幅方向両側方に、図８、図９のように多数枚の足場用パネルＡを配置し、それら足場用パネルＡの軸方向一端部を足場連結材１に連結具で連結し、軸方向他端部を吊り具（例えば、チェーン）２で支持部Ｈ（図９）に吊下げる吊下げ方法である。この組立て方法でも、足場連結材１への足場用パネルＡの連結、足場用パネルＡの横幅方向への連結等は前記組立て方法と同様に行うことができる。また、足場用パネルＡの構造も前記組立て方法で使用した足場用パネルＡと同じものでも異なるものでも使用できる。
【００２９】
（吊り足場組立て方法３）
本願発明の吊り足場組立て方法は、図３に示すように２本の足場連結材１を吊り具２により長軸方向に一列に吊下げ、その２本の足場連結材１をその長軸方向に連結し、連結された足場連結材１の長手方向にも多数枚の足場用パネルＡを配置して、吊り足場を横幅方向に広げることもできる。足場連結材１の長軸方向への連結は図３に示すように、吊り具２で２本の足場連結材１をそれらの長軸方向に一列に吊下げ、それら２本の足場連結材１の長軸方向端部同士を突き合わせて、図３のようにボルト等の連結具１０ａで連結することができる。この組立て方法でも、足場連結材１への足場用パネルＡの連結、足場用パネルＡの横幅方向への連結等は前記組立て方法と同様に行うことができる。また、足場用パネルＡの構造も前記組立て方法で使用した足場用パネルＡと同じものでも、異なるものでも使用できる。
【００３０】
（吊り足場組立て方法４）
前記した吊り足場組立て方法１〜３は、先に、足場連結材１を橋桁などの支持材Ｈ（図４）に吊下げてから、その足場連結材１の細幅方向側方に二枚以上の足場用パネルＡを並べて配置し、それら足場用パネルＡをその横幅方向に連結する方法であるが、本願発明では可能であれば、足場連結材１を吊下げる前に、足場連結材１に二以上の足場用パネルＡをクランプで連結しておき、その足場連結材１を足場用パネルＡと共に吊り具２で桁等の支持部Ｈ（図４）などに吊下げて吊り足場を組立てることもできる。この場合の足場連結材１及び足場用パネルＡの吊下げには、クレーンとか他の機器を使用すると便利である。この組立て方法でも足場連結材１への足場用パネルＡの連結、足場用パネルＡの横幅方向への連結等は、前記組立て方法と同様に行うことができる。また、足場用パネルＡの構造も前記組立て方法で使用した足場用パネルＡと同じものでも異なるものでも使用できる。
【００３１】
（足場連結材の実施形態）
本願発明の足場連結材１の一例を、図面を参照して説明する。図２に示す足場連結材１は長尺の基材３と、基材３の上に基材３の長軸方向に間隔をあけて設けられたブラケット６と、そのブラケット６上に配置固定された長尺のパイプ材４を備え、基材３の長手方向両端部には吊り具２を係止するための係止具１４が設けられている。足場連結材１は足場用パネルＡの横幅寸法数枚分の長さの細長である。
【００３２】
基材３には長尺なＨ形鋼が使用され、そのウエブ３ｂを縦向きにして使用し、上フランジ３ａと下フランジ３ｃの間に縦向きに配置した補強リブ８を、ウエブ３ｂの側面に溶接固定してある。補強リブ８は基材３の撓みを防止するものであり、金属板が使用されている。基材３にはＩ形鋼、その他の鋼材を使用することができる。補強リブ８の形状、サイズ、枚数、固定方法などは任意に変更することができる。
【００３３】
基材３の長軸方向両端には連結材９（図２、図３）が取り付けられている。連結材９は他の足場連結材１とその長軸方向に連結するためのものである。連結材９は金属板であり、基材３の長軸方向端面に宛がって、上下のフランジ３ａ、３ｃとウエブ３ｂの端面に溶接固定されている。連結材９には他の足場連結材１との連結時に使用する連結ボルト１０ａ（図３）を挿入するためのボルト孔１１が開口されている。
【００３４】
図２に示すように、上フランジ３ａの上面にはパイプ材４を支持するための複数枚のブラケット６が均等間隔で溶接固定されている。ブラケット６は金属薄板であり、その上部にパイプ材４の外周形状に適合する円弧状の受部６ａが形成されている。ブラケット６の形状、サイズ、枚数、固定方法、固定位置（例えば、基材の側方や下方）などは任意に変更することができる。
【００３５】
基材３の長軸方向両端部にはチェーン等の吊り具２を係止可能な係止具１４（図２）が設けられている。ここで両端部とは、基材３の長軸方向最端部に限らず、連結される足場用パネルＡよりも外側に突出する箇所（突出部）３ｄ（図１）を含む概念である。係止具１４は資材の持ち運び作業の邪魔にならない範囲で基材３の長手方向３箇所以上に設けることもできる。この場合、係止具１４は吊下げられる足場連結材１が安定するように均等間隔で設けることが好ましい。係止具１４は図５（ａ）に示すように正面視下向きＵ字状であり、下向きの２本の脚部１４ａが基材３の上フランジ３ａに差し込まれてその根元部分が上フランジ３ａに溶接固定されている。係止具１４は他の形状であってもよい。係止具１４は基材３の上フランジ３ａの上に突出させて固定することもできるが、不使用時は自重で基材３内に下がり、使用時に基材３の上方に引き上げ可能なスライド式にすることもできる。
【００３６】
係止具１４には吊り具２を常時連結しておくことも、使用時に装着することもできる。いずれの場合も係止具１４に吊り具２を連結するには、例えば、図３に示すように吊り具２の下端に取り付けられているフック１５（図３）を係止具１４に係止することができる。フック１５にはシャックルとか他の係止具を使用することができる。吊り具２にはターンバックルを取付けて、ターンバックルの操作により吊り具２の長さ調節可能としておくと吊り具２にテンションを持たせることができる。吊り具２の上端には図４のように橋桁などの支持部Ｈを挟着保持可能な吊り具クランプ１３を取付けておくと、支持部Ｈへの取り付けが容易になる。
【００３７】
前記パイプ材４は長方形の足場用パネルＡの横幅寸法数枚分の長さの（長尺の）丸パイプである。パイプ材４の長さは基材３と同じ又は同程度としてあるが、基材３の長さに応じた各種サイズのものを用意しておくことが好ましい。パイプ材４は、三連クランプ５や平行クランプＦで把持できるよう、足場用パネルＡのフレームパイプＣ（図７）と同じ又は同程度の太さにしてある。
【００３８】
本願発明の足場連結材１は、図３のように長手方向に連結して使用することもできる。この場合は、足場連結材１の長手方向端部の連結材９同士を突き合わせ、連結材９に設けられたボルト孔１１の位置合わせし、そのボルト孔１１に連結ボルト１０ａを通し、その連結ボルト１０ａに連結ナット１０ｂを螺合して固定する。この場合、連結ナット１０ｂを連結ボルト１０ａに溶接して両者が不用意に外れないようにしておくこともできる。連結した足場連結材１のパイプ材４には図１のように複数枚の足場用パネルＡを配置連結することができる。足場用パネルＡの連結には前述の三連クランプ５や平行クランプＦを用いることができる。
【００３９】
図３のように足場連結材１の長手方向端部同士を連結する場合は、一方の足場連結材１の長手方向一端の下フランジ３ｃの底面に受け具１７をボルト１８とナット１９で固定して、受け具１７の一部をその足場連結材１の長手方向端部から外側に突出させておき、その突出部１７ａの上に他方の足場連結材１を載せて固定すると両足場連結材１の連結が確実強固になる。受け具１７は溶接により固定することもできる。この場合、ボルト１８とナット１９とが不用意に外れないようにナット１９をボルト１８に溶接することができる。
【００４０】
（足場連結材の使用例１）
本願発明の足場連結材の使用例を図４に基づいて説明する。図４は、複数枚の足場用パネルＡを３本の足場連結材１ａ〜１ｃを用いて連結する場合の例である。
（１）図４のように、吊り具クランプ１３を橋桁などの支持具Ｈに取り付けて、足場連結材１ａ〜１ｃを吊り具２で吊下げる。
（２）図４の二本の足場連結材１ａ、１ｂの上に足場用パネルＡ１の軸方向両端部を配置する。この軸方向両端部は足場連結材１ａ、１ｂの受部（基材３の上フランジ３ａ：図３）の上に載せても良く、図５（ａ）、（ｂ）のように浮かせても良い。
（３）図４の足場用パネルＡ１のうち右側のフレームパイプＣと足場連結材１ｂのパイプ材４とを三連クランプにより図５（ａ）、（ｂ）のように連結する。この場合、フレームパイプＣを脇クランプ５ｂで、足場連結材１ｂのパイプ材４を三連クランプ５の中央クランプ５ａでクランプする。
（４）図４の足場用パネルＡ１の左側のフレームパイプＣと、左側の足場連結材１ａのパイプ材４とを平行クランプＦ（図７）で連結する。
（５）図４の中央の足場連結材１ｂとその右側の足場連結材１ｃの上に、足場用パネルＡ２の軸方向両端部を載せる。この場合も、軸方向両端部は足場連結材１ｂ、１ｃの受部（基材３の上フランジ３ａ：図３）の上に載せても良く浮かせても良い。
（６）図４の足場用パネルＡ２のうち左側のフレームパイプＣと足場連結材１ｂのパイプ材４とを三連クランプ５（図６）により図５（ａ）、（ｂ）のように連結する。この場合、フレームパイプＣを脇クランプ５ｂで、足場連結材１ｂのパイプ材４を三連クランプ５の中央クランプ５ａでクランプする。
（７）図４の足場用パネルＡ２の右側のフレームパイプＣと、右側の足場連結材１ｃのパイプ材４とを平行クランプＦ（図７）で連結する。
（８）前記（２）〜（７）の繰り返しで、平行に吊下げられた３本の足場連結材１ａ〜１ｃの長軸方向に足場用パネルＡ１、Ａ２を並べて配置する。足場連結材１ａ〜１ｃの長軸方向に並べて配置された足場用パネルＡ１の横幅側面同士、Ａ２の横幅側面同士は、例えば図１０の横連結具Ｋを使用して連結する。
【００４１】
前記（８）までの作業により３本の足場連結材１ａ〜１ｂの長軸方向全長に足場用パネルＡ１、Ａ２を配置固定し終えたら、新たな３本の足場連結材を、前記（１）の方法で、前記足場連結材１ａ又は１ｃの側方に平行に吊下げる。これら新たな足場連結材に前記（２）〜（８）の手順で足場用パネルＡ１、Ａ２を配置固定する。前記（１）〜（８）の手順で、多数枚の足場用パネルを吊下げて吊り足場を組立てる。
【００４２】
（足場連結材の使用例２）
本願発明の足場連結材の使用例を図９に基づいて説明する。図９は複数枚の足場用パネルＡを１本の足場連結材１と複数本の吊り具２１を用いて連結する場合の例である。
（１）図９のように、吊り具クランプ１３を橋桁などの支持具Ｈに取り付けて、足場連結材１を吊り具２で吊下げる。
（２）図９の足場連結材１の上に足場用パネルＡ１の軸方向右端部を配置する。この右端部は足場連結材１の受部（基材３の上フランジ３ａ：図３）の上に載せても良く、図５（ａ）、（ｂ）のように浮かせても良い。
（３）図９の足場用パネルＡ１の右側のフレームパイプＣと足場連結材１のパイプ材４とを三連クランプ５（図６）により図５（ａ）、（ｂ）のように連結する。この場合、フレームパイプＣを脇クランプ５ｂで、足場連結材１のパイプ材４を三連クランプ５の中央クランプ５ａでクランプする。
（４）図９の足場用パネルＡ１の左側のフレームパイプＣを、チェーン等の吊り具２により支持具Ｈに吊下げる
（５）図９の足場連結材１の上に足場用パネルＡ２の軸方向左端部を配置する。この左端部も足場連結材１の受部（基材３の上フランジ３ａ：図３）の上に載せても良く、図５（ａ）、（ｂ）のように浮かせても良い。
（６）図９の足場用パネルＡ２の左側のフレームパイプＣと足場連結材１のパイプ材４とを三連クランプ５（図６）により図５（ａ）、（ｂ）のように連結する。この場合、フレームパイプＣを脇クランプ５ｂで、足場連結材１のパイプ材４を三連クランプ５の中央クランプ５ａでクランプする。
（７）図９の足場用パネルＡ２の右側のフレームパイプＣを、チェーン等の吊り具２により支持具Ｈに吊下げる。
（８）前記（２）〜（７）の繰り返しで、吊下げられた１本の足場連結材１の細幅方向両側方に足場用パネルＡ１、Ａ２を配置し、その足場連結材１の長軸方向に多数枚の足場用パネルＡ１、Ａ２を並べて配置する。足場連結材１の長軸方向に並べて配置された足場用パネルＡ１の横幅方向側面同士、Ａ２の横幅方向側面同士は、例えば図１０の横連結具Ｋを使用して連結する。
【００４３】
前記（８）までの作業により１本の足場連結材１の長軸方向全長に足場用パネルＡ１、Ａ２を配置固定し終えて、吊り足場を更に広げるためには、新たな１本の足場連結材１を、前記（１）の方法で、先に吊下げてある足場連結材１の側方に吊下げる。この新たな足場連結材に前記（２）〜（８）の手順で足場用パネルＡ１、Ａ２を配置固定する。
【００４４】
（足場連結材の使用例３）
本願発明の足場連結材１はその長軸方向に連結して使用することもできる。連結する足場連結材１の本数は所望数とする。長軸方向に連結する場合は、例えば、次のようにする。
（１）図３に示すように、２本の足場連結材１を吊下げて長軸方向に一列に並べる。
（２）吊下げた二本の足場連結材１の端部同士を付き合わせ、連結材９に設けられたボルト孔１１を位置合わせし、そのボルト孔１１に連結ボルト１０ａを通し、その連結ボルト１０ａに連結ナット１０ｂを螺合して固定する。このとき、連結ナット１０ｂで固定した部分を溶接し、連結ボルト１０ａと連結ナット１０ｂとが不用意に外れないようにすることができる。
（３）受け具１７を両足場連結材１の下フランジ３ｂの長軸方向端部に跨がせて配置し、ボルト１８とナット１９を用いて両足場連結材１の下フランジ３ｂに固定する。
（４）前記のように連結した足場連結材１には、前記使用例１又は２の使用例と同様の方法で足場用パネルを配置して連結することができる。
【００４５】
（吊り足場構造１）
本願発明の吊り足場構造の一例として図１に示すものは、足場用パネルＡの横幅寸法数枚分の長さである二本以上の細長の足場連結材１が当該足場連結材１の細幅方向に間隔をあけて吊り具２により橋桁などの支持部に吊下げられ、その足場連結材１であって隣り合う二本の足場連結材１の間に二枚以上の足場用パネルＡが足場連結材１の長軸方向に並べて配置され、その足場用パネルＡの軸方向両端部が足場連結材１に連結され、その足場連結材１の長軸方向に並べて配置された二枚以上の足場用パネルがその横幅方向に連結されたものである。
【００４６】
（吊り足場構造２）
本願発明の吊り足場構造の他例として図８に示すものは、足場用パネルＡの横幅寸法数枚分の長さである足場連結材１の少なくとも長軸方向両端側が吊り具により支持部に吊下げられ、その足場連結材１の細幅方向両側方に二枚以上の足場用パネルＡが足場連結材１の長軸方向に並べて配置され、当該二枚以上の足場用パネルＡの軸方向一端が足場連結材１に連結され、軸方向他端部が吊り具２により橋桁などの支持部又は他の支持部に吊下げられ、足場連結材１の長軸方向に並べて配置された二枚以上の足場用パネルＡがその横幅方向に連結されたものである。
【００４７】
（吊り足場構造３）
本願発明の吊り足場構造は、前記吊り足場構造において、二本以上の足場連結材１が図３のように長軸方向に連結され、連結された足場連結材１の細幅方向側方に二枚以上の足場用パネルＡが足場連結材１の長軸方向に並べて配置され、長軸方向に並べて配置された足場用パネルＡがその横幅方向に連結されたものである。
【００４８】
前記吊り足場組立て工法、足場連結材、及び吊り足場構造の実施例は一例であり、本願発明の課題を解決することができる限り、前記実施例以外の工法、構成、構造とすることができる。
【産業上の利用可能性】
【００４９】
前記実施形態は主として橋桁に吊下げる場合を例示して説明したが、本願発明の吊り足場組立て工法、吊り足場構造、足場連結材は、それ橋梁工事以外の工事現場、例えば、高速道路工事、建築工事、土木工事、プラント工事、タンク工事、鉄塔工事といった各種工事現場で利用できるので、それら現場での利用に適した方法で使用することができる。
【符号の説明】
【００５０】
１    足場連結材
１ａ、１ｂ、１ｃ  足場連結材
２    吊り具
３    基材
３ａ  上フランジ
３ｂ  ウエブ
３ｃ  下フランジ
３ｄ  基材の突出部
４    パイプ材
５    三連クランプ
５ａ  中央クランプ
５ｂ  脇クランプ
５ｃ  脇クランプ
６    ブラケット
６ａ  受部
８    補強リブ
９    連結材
１０ａ  連結ボルト
１０ｂ  連結ナット
１１    ボルト孔
１３    吊り具クランプ
１４    係止具
１４ａ  係止具の脚部
１５    フック
１６    ターンバックル
１７    受け具
１７ａ  突出部
１８    ボルト
１９    ナット
３０、３１  金具
３２    ナット
３３    ボルト
３４    止めピン
３４ａ  止めピンの先端部
３５    ワッシャ
３６    割ピン３６
３７    ピン貫通孔
３８    連結ピン（グラビティロック連結ピン）
Ａ    足場用パネル
Ｂ    角材
Ｃ    フレームパイプ
Ｄ    補強材
Ｅ    板材
Ｆ    平行クランプ
Ｇ    吊り具
Ｈ    支持部
Ｋ    横連結具
【図１】
0005597161.tif 000002
【図２】
0005597161.tif 000003
【図３】
0005597161.tif 000004
【図４】
0005597161.tif 000005
【図５】
0005597161.tif 000006
【図６】
0005597161.tif 000007
【図７】
0005597161.tif 000008
【図８】
0005597161.tif 000009
【図９】
0005597161.tif 000010
【図１０】
0005597161.tif 000011
【図１１】
0005597161.tif 000012
【図１２】
0005597161.tif 000013
【図１３】
0005597161.tif 000014